(57)【要約】【課題】処分場内において廃棄物を量的および質的に有効に活用しつつ、周辺環境と調和した廃棄物の処理が可能で、有機性廃棄物の焼却処分に伴う二酸化炭素の発生量を大幅に削減すること。【解決手段】処分場１０内において有機性廃棄物２０Ａと無機性廃棄物２０Ｂとを分別して堆積する。コンポスト処理域１０Ａで有機性廃棄物２０Ａから製造したリサイクルコンポスト３０を、廃棄物２０Ａ，２０Ｂのリサイクル覆土３０Ａ，３０Ｂとしてリサイクルする。【選択図】　　　　図１
2004033860.tif 000002
【特許請求の範囲】
【請求項１】
廃棄物を処分する処分場内において、
廃棄物を処分場内に搬入する工程と、
廃棄物を遅速コンポスト化してリサイクルコンポストを製造する工程と、
前記リサイクルコンポストをリサイクル覆土として廃棄物の表面を被覆する工程とを繰り返し行なうことを特徴とする、
廃棄物の処理方法。
【請求項２】
リサイクルコンポストを主材として廃棄物を被覆することを特徴とする、請求項１に記載の廃棄物の処理方法。
【請求項３】
処分場内で有機性廃棄物と無機性廃棄物とを分別して堆積し、コンポスト処理域で有機性廃棄物から製造したリサイクルコンポストを埋立処分域の無機性廃棄物のリサイクル覆土として用いることを特徴とする、請求項１又は請求項２に記載の廃棄物の処理方法。
【請求項４】
廃棄物の表面を被覆したリサイクル覆土に植生することを特徴とする、請求項１乃至請求項３の何れかに記載の廃棄物の処理方法。
【発明の詳細な説明】
【０００１】
【発明の属する技術分野】
本発明は食品廃棄物等の有機性廃棄物や焼成灰等の無機性廃棄物を周辺環境に調和した形態で処理する廃棄物のリサイクル処理技術に関するものである。
【０００２】
【従来の技術】
一般に廃棄物は山間地や海辺等に建設した処分場に埋め立てているが、火災予防やごみの飛散防止、悪臭や衛生害虫の発生防止を図るため、一日の埋立てを終了したら、或いは所定量を埋め立てる毎に廃棄物の表面を覆土している。
【０００３】
【本発明が解決しようとする課題】
従来の廃棄物の処理技術にはつぎのような問題点がある。
＜イ＞有機性廃棄物は焼却処理し、無機性廃棄物とした後に埋め立てているが、焼却に伴う二酸化炭素排出による地球温暖化の問題と、覆土の大量搬入に伴う処分場容積の逼迫化の問題が指摘されている。
＜ロ＞廃棄物の焼却処理に大量のエネルギーを消費することや、覆土の購入コストが嵩む分だけ廃棄物の最終的な処理コストが高くつく。
＜ハ＞これまでは廃棄物処分場が満杯になると新たな処分場を建設して対処してきたが、近時の環境保全に対する評価の高さと、大量生産大量消費社会から循環型社会への移行に伴い、廃棄物処理側においても従来型処理手法の見直しが強く迫られており、その改善技術の提案が切望されている。
【０００４】
本発明は以上の点に鑑みてなされたもので、その目的とするところは処分場内において廃棄物を量的および質的に有効に活用しつつ、周辺環境と調和した廃棄物の処理が可能な新技術を提案することにある。
さらに本発明の他の目的は、有機性廃棄物の焼却処分に伴う二酸化炭素の発生量を大幅に削減できる、廃棄物の処理技術を提供することにある。
【０００５】
【課題を解決するための手段】
請求項１に係る発明は、廃棄物を処分する処分場内において、廃棄物を処分場内に搬入する工程と、廃棄物を遅速コンポスト化してリサイクルコンポストを製造する工程と、前記リサイクルコンポストをリサイクル覆土として廃棄物の表面を被覆する工程とを繰り返し行なうことを特徴とする、廃棄物の処理方法である。
請求項２に係る発明は、リサイクルコンポストを主材として廃棄物を被覆することを特徴とする、請求項１に記載の廃棄物の処理方法である。
請求項３に係る発明は、処分場内で有機性廃棄物と無機性廃棄物とを分別して堆積し、コンポスト処理域で有機性廃棄物から製造したリサイクルコンポストを埋立処分域の無機性廃棄物のリサイクル覆土として用いることを特徴とする、請求項１又は請求項２に記載の廃棄物の処理方法である。
請求項４に係る発明は、廃棄物の表面を被覆したリサイクル覆土に植生することを特徴とする、請求項１乃至請求項３の何れかに記載の廃棄物の処理方法である。
【０００６】
【本発明の実施の形態】
以下、図面を参照しながら本発明の実施の形態について説明する。
【０００７】
＜イ＞処理原理
図１に廃棄物処分場のモデル図を示し、図２に廃棄物の処理工程を示す。
本発明はコンポスト処理域１０Ａと埋立処分域１０Ｂとに区分けした処分場１０内において、有機性の廃棄物２０Ａを原料としてまったく手をかけずに遅速コンポスト化してリサイクルコンポスト３０を製造する。
このリサイクルコンポスト３０はその一部をコンポスト処理域１０Ａに搬入した廃棄物２０Ａの覆土材料としてリサイクルしつつ、埋立処分域１０Ｂに搬入した無機性の廃棄物２０Ｂの覆土材料としても活用し、また良質のリサイクルコンポスト３０は場外へ搬出して種々活用する。
以降に具体的な処理方法について詳述する。
【０００８】
＜ロ＞遅速コンポスト処理
（有機性廃棄物の搬入）
コンポスト処理域１０Ａ内に廃棄物２０Ａを搬入し、例えば堤体状に積み上げるか、或いは所定の厚さまで堆積する。
ここで廃棄物２０Ａは公知の各種有機性またはこれと無機性廃棄物の混合物を含むもので、例えば主に食品廃棄物等の有機廃棄物単独又は有機廃棄物にチップ化した木質廃棄物を混合したものを使用できる。
有機性廃棄物２０Ａに対する木質チップの配合割合は、例えば９：１程度とし、遅速コンポスト化の際の通気性を確保できる割合であればよい。
【０００９】
（覆土）
所定量の廃棄物２０Ａを搬入したら、リサイクルコンポスト３０をリサイクル覆土３０Ａとして所定の層厚で廃棄物２０Ａの堆積層の表面を被覆する。
リサイクル覆土３０Ａの被覆形態は廃棄物２０Ａを山積みした場合はその表面にセル状に被覆するか、廃棄物２０Ａを層状に堆積させた場合はその露出面のみに被覆するものとし、少なくとも廃棄物２０Ａの表面全面が被覆してあればよい。またリサイクル覆土３０Ａの被覆厚は少なくとも環境害虫が這い出ない程度の層厚であればよく、例えば２０ｃｍ〜３０ｃｍ程度が好適である。
リサイクル覆土３０Ａはコンポスト処理域１０Ａ内でのリサイクルが可能になるまでは場外から搬入する。
【００１０】
（廃棄物の遅速コンポスト化）
これまでの一般的なコンポスト技術は、堆積した廃棄物を頻繁に切り返し（強制撹拌）を行い、酸素を均一に供給することで好気性微生物により高温発酵させることで比較的短期間（１〜３ヶ月程）に堆肥化していたが、堆肥化の期間が短かくてよい反面、切り返しによる温度低下や水分不足などの弊害があった。
これに対して本発明は廃棄物２０Ａの切り返しをまったく行なわず長期間（１〜２年）をかけて従来よりも低温で発酵させて堆肥化する（遅速コンポスト）ものである。
本発明ではコンポスト処理域１０Ａ内で廃棄物２０Ａを遅速コンポスト化するので、処分場１０とは別にコンポスト堆肥の製造と保管のための専用ヤードを設ける必要がない。
【００１１】
廃棄物２０Ａの遅速コンポスト化のメカニズムについて説明すると、リサイクル覆土３０Ａ中には有機物の分解に効果を発揮する微生物が多数存在し、これらの微生物が廃棄物２０Ａの表層から内部へ移行するため、廃棄物２０Ａの温度上昇は低いが廃棄物２０Ａの安定した発酵分解が促進される。
有機物、微生物、水分を含むリサイクル覆土３０Ａが廃棄物２０Ａから発する悪臭要因の臭気成分を吸収、分解する。廃棄物２０Ｂ中に有害な重金属物質が混入している場合は、木質チップが重金属物質を吸着して保持する。
リサイクル覆土３０Ａは従来の土砂製覆土と比べて通気性がよく、廃棄物２０Ａ内に取り込む酸素量が多くなリ、廃棄物２０Ａがより好気性に保たれる。そのため、有機物の分解が速まり、従来の土砂製覆土と比べてメタンガスの発生量を削減できるだけでなく滲出水の水質も向上する。
またリサイクル覆土３０は保水性にも優れるため、雨水を吸収して廃棄物２０Ａの内部への浸水量を抑えて、廃棄物２０Ａからの滲出水量の減少にも役立つ。遅速コンポスト化期間を１〜２年としたのは、常温で最も長く生存する回虫卵等の病原性の有害微生物や菌の死滅時間を考慮したためである。
【００１２】
廃棄物２０Ａの遅速コンポスト期間中において、リサイクル覆土３０Ａはゴミの飛散やハエの発生、鼠族、鳥類、動物によるスカベンジングの防止にも役立つ。
また遅速コンポスト期間中において、視覚的に嫌悪感を与えず美観性を与えるために、有機物を多量に含むリサイクル覆土３０Ａを植生基盤として種々の植物４０を植生、植栽することも可能である。
【００１３】
＜ハ＞コンポスト処理域内での再利用
コンポスト処理域１０Ａ内で廃棄物２０を遅速コンポスト化して生成したリサイクルコンポスト３０を掘り出し、既述したように廃棄物２０Ａの表面を覆うリサイクル覆土３０Ａとしてリサイクルに供し、搬入するのは廃棄物２０Ａのみである。リサイクル覆土３０Ａを覆土の主材として用いることで、廃棄物２０Ａの大量消費が可能となる。
【００１４】
＜ニ＞埋立処分域内での再利用
コンポスト処理域１０Ａ内で生成したリサイクルコンポスト３０はコンポスト処理域１０Ａ内でリサイクルするだけでなく、隣り合う埋立処分域１０Ｂ内のリサイクル覆土３０Ｂとしても活用する。
埋立処分域１０Ｂ内においてはリサイクル覆土３０Ｂを活用できるので、場外から搬入するのは焼成灰等の無機性の廃棄物２０Ｂのみでよい。
廃棄物２０Ｂ中に有害な重金属物質が混入している場合は、木質チップが重金属物質を吸着して保持する。
またリサイクル覆土３０Ｂに植物４０を植生すると、埋立処分域１０Ｂ内における廃棄物２０Ｂの景観性改善に役立つ。
【００１５】
＜ホ＞場外での再利用
また良質のリサイクルコンポスト３０は場外へ搬出して種々活用する。
活用例としては、一般肥料や各種廃棄物の覆土材料が挙げられる。
【００１６】
以上の如く、ひとつの処分場１０内において、有機性廃棄物２０Ａと、無機性廃棄物２０Ｂとを分別して堆積し、そのうちの有機性廃棄物２０Ａを基に生成したリサイクルコンポスト３０、処分場１０の内外で再利用しつつ必要に応じて場外へ搬出して再利用することで、有機性廃棄物２０Ａの大幅な減量化を図りつつ、覆土の場内持ち込みを極力なくし、処分場１０の延命化を可能とする。
尚、リサイクルコンポスト３０の場外利用は必須ではなく、省略する場合もある。
【００１７】
【発明の効果】
本発明は以上説明したようになるから、処分場内において廃棄物を量的および質的に有効に活用しつつ、周辺環境と調和した廃棄物の処理が可能となる。
さらに有機性廃棄物を焼却せずに遅速コンポスト化して処理できるので、焼却処分に伴う二酸化炭素の発生量の大幅削減に大きく貢献できる。
【図面の簡単な説明】
【図１】本発明の廃棄物処理方法の説明図。
【図２】廃棄物の処理工程の説明図。
【符号の説明】
１０　　　　処分場
１０Ａ　　　コンポスト処理域
１０Ｂ　　　埋立処分域
２０Ａ　　　有機性廃棄物
２０Ｂ　　　無機性廃棄物
３０　　　　リサイクルコンポスト
３０Ａ　　　リサイクル覆土
３０Ｂ　　　リサイクル覆土
４０　　　　植物
【図１】
2004033860.tif 000003
【図２】
2004033860.tif 000004
【手続補正書】
【提出日】平成14年7月17日(2002.7.17)
【手続補正１】
【補正対象書類名】図面
【補正対象項目名】全図
【補正方法】変更
【補正の内容】
【図１】
2004033860.tif 000005
【図２】
2004033860.tif 000006